(57)【特許請求の範囲】
【請求項１】
消火薬剤充填容器と、前記消火薬剤充填容器内にガスを供給して加圧状態にする加圧用ガス容器及び前記消火薬剤充填容器に放出弁を介して接続され、先端に噴射ノズルを有する消火ホースが収納されたホース格納箱とが分離して設けられ、
前記ホース格納箱が自走式駐車場の柱の車路側であって、且つ前記自走式駐車場の床面から所定の高さで前記柱の壁に固定されていることを特徴とする移動粉末消火設備。
【請求項２】
前記ホース格納箱は前面に開閉扉を有し、この開閉扉に設けられた開閉ノブ、前記加圧用ガス容器の開閉バルブ及び前記放出弁が規定された高さの範囲内に含まれるように前記自走式駐車場の床面から所定の高さに設置される請求項1に記載の移動粉末消火設備。
【請求項３】
前記消火薬剤充填容器が自走式駐車場の柱の車室側に設置され、この消火薬剤充填容器と前記自走式駐車場の柱の車路側に設置された前記ホース格納箱とは、前記前記加圧用ガス容器から前記消火薬剤充填容器内にガスを供給する加圧ガス導入管と消火薬剤充填容器から前記ホース格納箱に収納された消火ホースに消火薬剤を供給する消火薬剤導出管とで連結されている請求項1に記載の移動粉末消火設備。
【請求項４】
前記消火薬剤充填容器は、前記加圧ガス導入管及び消火薬剤導出管の接続口を前記消火薬剤充填容器の上面又は側面に設けている請求項３に記載の移動粉末消火設備。
【請求項５】
前記加圧ガス導入管及び消火薬剤導出管は、前記消火薬剤充填容器の上面又は側面から自走式駐車場の柱の車室側の壁面に沿って上方に向かって配管され、前記自走式駐車場の天井面に沿って前記柱の車路側に回り込み、前記柱の車路側の壁面に沿って下方に向かって配管され、前記ホース格納箱の上端部に至る請求項３又は４に記載の移動粉末消火設備。
【発明の詳細な説明】
【技術分野】
【０００１】
本発明は、自走式駐車場などに広く採用されている移動粉末消火設備に関するものである。
【背景技術】
【０００２】
一般に、自走式の立体駐車場などに設置される移動粉末消火設備として、縦長の消火薬剤充填容器と、この消火薬剤充填容器内にガスを供給して加圧状態にする加圧用ガス容器と、消火薬剤充填容器に開閉弁を介して接続される消火ホースとを収納したホース格納箱を立体駐車場の柱の車路側に設置したものがある（特許文献１参照）。また、前記開閉弁の操作や消火ホースの引き出しが容易にできるように、ホース格納箱の前面に開閉扉が設けられている。
【０００３】
しかしながら、上記の移動粉末消火設備にあっては、必要器材の全てがホース格納箱に収納されているため、ホース格納箱自体が大型化して駐車場の車路側に大きく張り出してしまい、車両の入出庫時にホース格納箱が邪魔になるといった問題がある。また、消火ホースと消火薬剤充填容器とがホース格納箱の奥行き方向に並べて収納されているため、消火設備の点検時などで重量の嵩む消火薬剤充填容器をホース格納箱の奥の方から取り出すための作業、及び点検後にホース格納箱の奥の方に収納するための作業が容易ではなかった。
【０００４】
そこで、上記問題を解決するものとして、前記ホース格納箱の中には加圧用ガス容器と消火ホースとを収納し、消火薬剤充填容器をホース格納箱から取り出してホース格納箱の後方に隣接して設置し、消火薬剤充填容器とホース格納箱とを締結具によって連結固定するようにした移動粉末消火設備が提案されている（特許文献２）。
【０００５】
しかしながら、上記特許文献２に記載されている移動粉末消火設備にあっては、消火薬剤充填容器をホース格納箱から出し入れする際の面倒な作業は回避できるものの、消火薬剤充填容器とホース格納箱とを前後に並べて一体に連結固定しているために、特許文献１に記載された移動粉末消火設備と同様、柱の車路側に大きく張り出してしまい、車両の入出庫時には邪魔になるといった問題があった。特に、消火薬剤充填容器及びホース格納箱が自走式駐車場の床面に直接固定されて低い位置に設置されているため、車両のバンパーなどが接触しないようにホース格納箱の回りにガードパイプなどのプロテクタを設ける必要もあった。
【先行技術文献】
【特許文献】
【０００６】
【特許文献１】実用新案登録第２５１５０５８号公報
【特許文献２】特開２０００−３７４７２号公報
【発明の概要】
【発明が解決しようとする課題】
【０００７】
本発明が解決しようとする課題は、消火薬剤充填容器をホース格納箱と分離し、両者を個別に設置すると共に、ホース格納箱を自走式駐車場の床面から上げることで、自走式駐車場の柱の車路側に設置されたホース格納箱の張り出し量を抑えると共に、プロテクタの設置を省略することである。
【課題を解決するための手段】
【０００８】
上記課題を解決するため、本発明に係る移動粉末消火設備は、消火薬剤充填容器と、前記消火薬剤充填容器内にガスを供給して加圧状態にする加圧用ガス容器及び前記消火薬剤充填容器に放出弁を介して接続され、先端に噴射ノズルを有する消火ホースが収納されたホース格納箱とが分離して設けられ、前記ホース格納箱が自走式駐車場の柱の車路側であって、且つ前記自走式駐車場の床面から所定の高さで前記柱の壁に固定されている。
【０００９】
また、本発明の一実施形態では、前記ホース格納箱は前面に開閉扉を有し、この開閉扉に設けられた開閉ノブ、前記加圧用ガス容器の開閉バルブ及び前記放出弁が規定された高さの範囲内に含まれるように前記自走式駐車場の床面から所定の高さに設置されている。
【００１０】
また、本発明の一実施形態では、前記消火薬剤充填容器が自走式駐車場の柱の車室側に設置され、この消火薬剤充填容器と前記自走式駐車場の柱の車路側に設置された前記ホース格納箱とは、前記前記加圧用ガス容器から前記消火薬剤充填容器内にガスを供給する加圧ガス導入管と消火薬剤充填容器から前記ホース格納箱に収納された消火ホースに消火薬剤を供給する消火薬剤導出管とで連結されている。
【発明の効果】
【００１１】
本発明に係る移動粉末消火設備によれば、ホース格納箱と消火薬剤充填容器とが分離して個別に設置されるので、ホース格納箱を小さく薄くすることができ、自走式駐車場の柱の前面側に設置されるホース格納箱の車路側への張り出し量が抑えられて、車両の入出庫時の際にホース格納箱が邪魔になるといったことがない。また、ホース格納箱が駐車場の床面から所定の高さに配置されているので、車両のバンパーによるホース格納箱の接触を回避することができ、ホース格納箱の回りにガードパイプなどのプロテクタを設ける必要がない。さらに、ホース格納箱を前記駐車場の床面から所定の高さに設置したことで、開閉扉の開閉ノブや加圧用ガス容器の開閉バルブなどをより操作し易い高さに配置することができた。
【図面の簡単な説明】
【００１２】
【図１】本発明の第１実施形態に係る移動粉末消火設備の一部を断面で示した側面図である。
【図２】図１に示したホース格納箱の内部の正面図である。
【図３】図１に示したホース格納箱の正面図である。
【図４】本発明に係る移動粉末消火設備を自走式駐車場に設置した場合の配置図である。
【図５】図４の要部拡大図である。
【図６】本発明の第２実施形態に係る移動粉末消火設備を示す図１と同様の側面図である。
【発明を実施するための形態】
【００１３】
以下、本発明に係る移動粉末消火設備を添付図面に基づいて詳細に説明する。図１乃至図５には、本発明の第１実施形態に係る移動粉末消火設備１が示されており、ホース格納箱２と、このホール格納箱２から分離された消火薬剤充填容器３とを備える。本実施形態では重量及び体積の嵩む消火薬剤充填容器３をホース格納箱２から分離し、前記ホース格納箱２にはクリーニング用ガス容器４、加圧用ガス容器５及び消火ホース６のみを収納するだけでよいので、従来のものより小型化することができ、全体の厚みもかなり薄くすることができる。このように小型化されたホース格納箱２は、全体が縦長の直方体形状からなり、前面には開閉扉７が設けられ、この開閉扉７に開閉ノブ８と設置場所を知らせる表示灯９とが設けられている。
【００１４】
前記開閉扉７を開けたホース格納箱２の内部には、前述したように前記クリーニング用ガス容器４、前記加圧用ガス容器５及び前記消火ホース６が収納されているが、略同一形状のクリーニング用ガス容器４と加圧用ガス容器５が上下に並んで配置され、この２つの容器の外周を取り囲むようにして消火ホース６がホース掛けに巻装されている。
【００１５】
前記クリーニング用ガス容器４及び加圧用ガス容器５の上端にはそれぞれ開閉バルブ４ａ，５ａが設けられ、また加圧用ガス容器５の開閉バルブ５ａの近傍には加圧ガス導入管１１が接続されている。一方、前記消火ホース６の先端にはノズル弁１２を介して噴射ノズル１３が装着され、また、消火ホース６の基端には放出弁１４を介して消火薬剤導出管１５が接続されている。
【００１６】
図１乃至図４に示したように、前記ホース格納箱２は、自走式駐車場の柱１６の前面側に設置される。この実施形態では、自走式駐車場の床面１７から所定の高さで開閉扉７を車路側１８ａに向けて柱１６の前面壁１６ａに固定されている。前記の所定の高さとは、車両１９のバンバー２０などの高さ位置以上であると同時に、火災発生などで消火活動をする際に操作の支障を来たさない高さである。消火活動の際の操作としては、ホース格納箱２の開閉扉７を開くための開閉ノブ８の操作、加圧用ガス容器５から消火薬剤充填容器３にガスを供給するために開閉バルブ５ａを開く操作及びホース掛けから消火ホース６を外してホース格納箱２から引っ張り出したのち、消火ホース６の基端に設けられた放出弁１４を開く操作などである。
【００１７】
上記の操作を容易に行うための認定の基準が定められており、そこには前記開閉ノブ８、開閉バルブ５ａ、放出弁１４などの操作部が８０ｃｍから１５０ｃｍの範囲に設置されていることが義務付けられている。そこで、本発明ではホース格納箱２の下端を床面から上げることで、前記バンパー２０によるホース格納箱２の接触を回避すると共に、開閉ノブ８、開閉バルブ５ａ、放出弁１４などの操作部の設置範囲を満たすようにしている。
【００１８】
前記消火薬剤充填容器３は円柱形状をしており、むき出しの状態で前記ホース格納箱２が設置された柱１６の後面側すなわち車室側１８ｂに設置されている。具体的には自走式駐車場の床面１７に台座２１を介して、柱１６の後面壁１６ｂに当接した状態で固定されている。消火薬剤充填容器３の上面には前記ホース格納箱２から延びる加圧ガス導入管１１及び消火薬剤導出管１５のそれぞれの接続口２２，２３が設けられている。前記加圧用ガス容器５に接続された加圧ガス導入管１１は、ホース格納箱２の天井板２ａから外部に出て、柱１６の前面壁１６ａに沿って立体駐車場の天井面２４を回り込んで柱１６の後面壁１６ｂに沿って延び、前記消火薬剤充填容器３の加圧ガス導入管側の接続口２２に接続されている。また、前記消火ホースの基端に放出弁１４を介して接続された消火薬剤導出管１５は、前記加圧ガス導入管１１に沿って延び、前記消火薬剤充填容器３の消火薬剤導出管側の接続口２３に接続されている。なお、図中の符号２５は消火薬剤充填容器３の上面に設けられた安全弁である。そして、この安全弁２５及び前記接続口２２，２３は、消火薬剤充填容器３の側面に設けられていてもよい。
【００１９】
上記構成からなる移動粉末消火設備１を利用して消火活動をする際には、先ず、ホース格納箱２の開閉扉７に設けられた開閉ノブ８を回して開閉扉７を開き、加圧用ガス容器５の開閉バルブ５ａを開くと同時に消火ホース６の基端の放出弁１４も開いておく。加圧用ガス容器５からは所定圧の加圧ガスが加圧ガス導入管１１を通じて消火薬剤充填容器３に供給される。そして、消火薬剤充填容器３の内圧が一定圧力に達すると、消火薬剤が消火薬剤導出管１５を通じて消火ホース６に送り込まれる。次いで、ホース掛けから消火ホース６を外してホース格納箱２から引っ張り出し、火災現場まで消火ホース６を延ばした後に消火ホース６の先端に設けられたノズル弁１２を開き、噴射ノズル１３から被消火物に向けて消火薬剤を勢いよく放出させて消火活動を行う。
【００２０】
上記の消火活動によって消火薬剤充填容器３内の消火薬剤がほとんど消費された時点で移動粉末消火設備１のクリーニングを行う。このクリーニングは、前記加圧用ガス容器５に接続されている加圧ガス導入管１１をクリーニング用ガス容器４に付け替え、開閉バルブ４ａを開いて消火薬剤充填容器３内にクリーニング用ガスを送り込み、消火薬剤充填容器３内、消火薬剤導出管１５内及び消火ホース６内をクリーニングすることによって、消火薬剤の粉末が移動粉末消火設備１内で固まってしまうのを防ぐものである。なお、上記のクリーニング用ガス容器４を外部に設置してもよく、この場合にはホース格納箱２内に空いたスペースを利用して、一般消火器などを置くことも可能である。
【００２１】
図６には本発明の第２実施形態に係る移動粉末消火設備３１が示されている。この実施形態に係る移動粉末消火設備３１が先の第１実施形態と異なる点は、消火薬剤充填容器３にカバー３２が被せられている点だけであり、その他の構成については何ら変わらないので、同一の符号を付すことで、詳細な説明は省略する。
【００２２】
前記消火薬剤充填容器３はボリュームが大きいために目立つが、前記のように消火薬剤充填容器３の全体をカバー３２で被ってしまうことによって、人の注意を逸らすことができ、悪戯などを防ぐのに有効な手段となる他、消火薬剤充填容器３のプロテクタとしても有効となる。
【符号の説明】
【００２３】
１  移動粉末消火設備
２  ホース格納箱
３  消火薬剤充填容器
４  クリーニング用ガス容器
４ａ  開閉バルブ
５  加圧用ガス容器
５ａ  開閉バルブ
６  消火ホース
７  開閉扉
８  開閉ノブ
９  表示灯
１１  加圧ガス導入管
１２  ノズル弁
１３  噴射ノズル
１４  放出弁
１５  消火薬剤導出管
１６  柱
１６ａ  柱の前面壁
１６ｂ  柱の後面壁
１７  床面
１８ａ  車路側
１８ｂ  車室側
１９  車両
２０  バンパー
２１  台座
２２  加圧ガス導入管の接続口
２３  消火薬剤導出管の接続口
２４天井面
２５  安全弁
３１  移動粉末消火設備
３２  カバー
【要約】
【課題】  消火薬剤充填容器をホース格納箱と分離し、両者を個別に設置すると共に、ホース格納箱を自走式駐車場の床面から上げることで、自走式駐車場の柱の車路側に設置されたホース格納箱の張り出し量を抑えると共に、プロテクタの設置を省略することである。
【解決手段】  消火薬剤充填容器３と、前記消火薬剤充填容器３内にガスを供給して加圧状態にする加圧用ガス容器５及び前記消火薬剤充填容器３に放出弁１４を介して接続され、先端に噴射ノズルを有する消火ホース６が収納されたホース格納箱２とが分離して設けられ、前記ホース格納箱２が自走式駐車場の柱１６の車路側１８ａであって、且つ前記自走式駐車場の床面１７から所定の高さに設置されている。
【選択図】  図１【図１】
0005805335.tif 000002
【図２】
0005805335.tif 000003
【図３】
0005805335.tif 000004
【図４】
0005805335.tif 000005
【図５】
0005805335.tif 000006
【図６】
0005805335.tif 000007